(57)【要約】【課題】通信端末装置からメール着信通知を受信した際に、ユーザーの動作状態に応じて適切な表示形態で、受信したメールを表示させる。【解決手段】ユーザーの手首に装着されるリスト端末装置１は、ユーザーの動作状態を検知する加速度センサー１４と、通信端末装置２からメール着信通知を受信したときに、加速度センサー１４により検知されたユーザーの動作状態に応じた表示形態で、受信したメールをディスプレイ１１０に表示する制御を行うＣＰＵ１７と、を備える。【選択図】図５
2014176055.tif 000002
【特許請求の範囲】
【請求項１】
ユーザーに装着される端末装置であって、
ユーザーの動作状態を検知する動作状態検知手段と、
受信した情報を表示する表示手段と、
前記動作状態検知手段により検知されたユーザーの動作状態に応じた表示形態で、前記受信した情報を前記表示手段に表示する制御を行う動作状態対応情報表示制御手段と、
を備えることを特徴とする端末装置。
【請求項２】
通信端末装置からメール着信通知を受信する着信受信手段を備え、
前記動作状態対応情報表示制御手段は、
前記着信受信手段によりメール着信通知を受信したときに、前記動作状態検知手段により検知されたユーザーの動作状態に応じた表示形態で、前記受信したメールの情報を前記表示手段に表示する制御を行う動作状態対応メール表示制御手段を、
備えることを特徴とする請求項１に記載の端末装置。
【請求項３】
前記動作状態対応メール表示制御手段は、
ユーザーによる前記端末装置を見る動作状態を所定時間検知したときに、前記受信したメールの本文を前記表示手段にスクロール表示する制御を行うことを特徴とする請求項２に記載の端末装置。
【請求項４】
前記動作状態対応メール表示制御手段は、
ユーザーが移動しつつ、前記端末装置を見る動作状態を検知したときに、前記受信したメールの本文を前記表示手段に拡大表示する制御を行うことを特徴とする請求項２又は３に記載の端末装置。
【請求項５】
ユーザーが移動しつつ、前記端末装置を見る動作状態を検知したときに、前記受信したメールの本文を音声出力する音声出力手段を備えることを特徴とする請求項２〜４のいずれか一項に記載の端末装置。
【請求項６】
前記端末装置は、ユーザーの手首に装着されるリスト端末装置であり、
前記動作状態対応メール表示制御手段は、
前記リスト端末装置を見る動作状態を検知した後で、ユーザーによる腕を下げる動作状態を検知したときに、前記受信したメールの本文の前記表示手段への表示を停止する制御を行うことを特徴とする請求項３〜５のいずれか一項に記載の端末装置。
【請求項７】
前記腕を下げる動作状態を検知した後で、前記表示手段で前回表示したメールの表示済み箇所を、未表示箇所と識別して前記通信端末装置に送信する表示済み箇所送信手段を備えることを特徴とする請求項６に記載の端末装置。
【請求項８】
前記動作状態対応メール表示制御手段は、
前記腕を下げる動作状態を検知した後で、ユーザーによる前記端末装置を再び見る動作状態を検知したときに、前記表示手段で前回表示したメールの表示済み箇所以外の未表示箇所を前記表示手段に表示する制御を行うことを特徴とする請求項６又は７に記載の端末装置。
【請求項９】
コンピュータに、
ユーザーの動作状態を検知する動作状態検知機能と、
受信した情報を表示する表示機能と、
前記動作状態検知機能により検知されたユーザーの動作状態に応じた表示形態で、前記受信した情報を前記表示機能に表示する制御を行う動作状態対応情報表示制御機能と、
を実現させることを特徴とするプログラム。
【発明の詳細な説明】
【技術分野】
【０００１】
本発明は、端末装置及びプログラムに関する。
【背景技術】
【０００２】
従来、携帯電話等の通信端末装置と、腕時計型の手首に装着するリスト端末装置とを、Bluetooth（登録商標）等の無線通信方式などの近距離通信によりデータ通信可能な構成とし、携帯電話に通話着信やメール着信などがあった場合に、この着信情報を携帯電話からリスト端末装置に送信するとともに、リスト端末装置を振動させて着信の情報をユーザーに知らせるようにしたシステムが開発されている。
例えば、特許文献１では、携帯電話に着信したメールの本文をリスト端末装置で表示する。また、特許文献２では、携帯電話のメール着信時に、リスト端末装置に着信通知し、リスト端末装置を装着した手の回転、上下又は水平の動きに応じてリスト端末装置にメールを表示したり、メールを無視したり、定型文を返信することができる。
【先行技術文献】
【特許文献】
【０００３】
【特許文献１】特開２００２−２２３４７５号公報
【特許文献２】特開２０１０−０２１９０２号公報
【発明の概要】
【発明が解決しようとする課題】
【０００４】
しかしながら、上記従来のリスト端末装置では、メール着信時に手振りで、メール表示や定型文の返信等の操作を指示する必要がある。また、例えば、ユーザーがジョギング等の移動を行っているときには、メールが全文表示されるためにメールの文字が小さく、ジョギングしながら、メールの本文を容易に確認することができない。このように従来のリスト端末装置の場合、ユーザーの動作状態に応じた表示形態で、適切に受信したメールを表示することができなかった。
【０００５】
本発明の課題は、ユーザーが操作指示することなく、ユーザーの動作状態に応じて適切な表示形態で、受信した情報を表示させることができる端末装置及びプログラムを提供することである。
【課題を解決するための手段】
【０００６】
以上の課題を解決するため、本発明は、ユーザーに装着される端末装置であって、
ユーザーの動作状態を検知する動作状態検知手段と、
受信した情報を表示する表示手段と、
前記動作状態検知手段により検知されたユーザーの動作状態に応じた表示形態で、前記受信した情報を前記表示手段に表示する制御を行う動作状態対応情報表示制御手段と、
を備えることを特徴とする。
【発明の効果】
【０００７】
本発明によれば、通信端末装置からメール着信通知を受信した際に、ユーザーが操作指示することなく、ユーザーの動作状態に応じて適切な表示形態で、受信したメールを表示させることができる。
【図面の簡単な説明】
【０００８】
【図１】本発明におけるリスト端末装置の外観図である。
【図２】リスト端末装置の概略構成を示すブロック図である。
【図３】通信端末装置の外観図である。
【図４】通信端末装置の概略構成を示すブロック図である。
【図５】リスト端末装置のメール表示処理を説明するためのフローチャートである。
【図６】リスト端末装置のユーザー動作状態対応メール表示処理を説明するためのフローチャートである。
【図７】通信端末装置のメール表示処理を説明するためのフローチャートである。
【図８】リスト端末装置及び通信端末装置によるメール表示処理の動作例１を示す図である。
【図９】リスト端末装置及び通信端末装置によるメール表示処理の動作例２を示す図である。
【図１０】リスト端末装置及び通信端末装置によるメール表示処理の動作例３を示す図である。
【発明を実施するための形態】
【０００９】
以下、添付図面を参照して本発明に係る実施の形態の一例を詳細に説明する。ただし、発明の範囲は、図示例に限定されない。
【００１０】
［構成］
＜リスト端末装置＞
図１は、本発明におけるリスト端末装置の外観図である。また、図２は、リスト端末装置の概略構成を示すブロック図である。
【００１１】
図１に示すように、リスト端末装置１は、例えば、腕時計状に形成されており、ユーザーの手首に装着される。
リスト端末装置１は、図２に示すように、表示部１１と、入力部１２と、近距離通信部１３と、加速度センサー１４と、報知部１５と、記憶部１６と、ＣＰＵ１７等とを備えて構成されている。
【００１２】
表示部１１は、ディスプレイ１１０から構成されており、ＣＰＵ１７から入力される表示信号に基づいて各種情報を表示するようになっている。ディスプレイ１１０は、例えば、有機エレクトロルミネッセンス素子を用いたカラー液晶ディスプレイ等である。なお、本実施の形態におけるディスプレイ１１０は、タッチパネル１２１と一体的に形成されており、ユーザーによるタッチ操作を受け付け可能となっている。
【００１３】
入力部１２は、キー群１２０や上述のタッチパネル１２１を備えており、押下されたキーの種類やタッチパネル１２１の位置に対応する信号をＣＰＵ１７に出力するようになっている。
【００１４】
近距離通信部１３は、Bluetooth（登録商標）等の無線通信方式のモジュールで構成されている。近距離通信部１３は、通信可能エリア内（例えば、半径２ｍ以内）に後述する通信端末装置２（図３参照）がある場合に、通信端末装置２との間で無線通信を行う。
【００１５】
加速度センサー１４は、リスト端末装置１に加わる加速度を３軸方向の成分に分解して測定するセンサーである。加速度センサー１４は、例えば、リスト端末装置１の姿勢（傾斜角度）や動きを検出する。すなわち、加速度センサー１４は、リスト端末装置１の所定の傾斜角度や動きに応じて、リスト端末装置１を手首に装着したユーザーが腕振りをしている状態、静止しつつ腕をかざしてリスト端末装置１を見る状態、移動しつつ腕をかざしてリスト端末装置１を見る状態及び腕を下げる状態を検知する。
【００１６】
報知部１５は、スピーカー、ＬＥＤ及びバイブレータ等を備え、通信端末装置２からの受信メール着信時に着信音（例えば、メロディー音、メッセージ音声）、ランプの点灯及び振動等により、ユーザーに対して着信の通知を行う。また、受信したメールのメール本文を音声により出力し、ユーザーに対してメールの本文の内容を通知する。
【００１７】
記憶部１６は、リスト端末装置１の各種機能を実現するためのプログラムやデータを記憶するとともに、ＣＰＵ１７の作業領域として機能するメモリである。本実施の形態においては、記憶部１６は、メール表示処理プログラム１６０、受信メールデータ１６１等を記憶している。
【００１８】
メール表示処理プログラム１６０は、後述するように、通信端末装置２からメール受信通知、メール送信者及びメール本文を受信した際に、ユーザーの動作状態を検知して、当該動作状態に応じた表示形態で、リスト端末装置１のディスプレイ１１０にメール表示をＣＰＵ１７に実行させたり、リスト端末装置１での表示済みメールのメール番号、メール送信者及びメール本文のうち表示済み箇所を、通信端末装置２へ送信するようにＣＰＵ１７に実行させるためのプログラムである。
【００１９】
受信メールデータ１６１は、通信端末装置２から受信したメールのメール送信者、件名、メールの本文、受信日及び受信時刻等をメール番号に対応付けて構成されている。また、受信メールデータ１６１に記憶する受信メールのメール本文は、リスト端末装置１のディスプレイ１１０で既に表示した表示済み箇所を、未表示箇所と識別して記憶している。
【００２０】
ＣＰＵ１７は、リスト端末装置１の各部を中央制御する。具体的には、ＣＰＵ１７は、記憶部１６に記憶されているシステムプログラム及び各種アプリケーションプログラムの中から指定されたプログラムを展開し、展開されたプログラムとの協働で、各種処理を実行する。
【００２１】
＜通信端末装置＞
図３は、通信端末装置を示す外観図である。また、図４は、通信端末装置の概略構成を示すブロック図である。
【００２２】
通信端末装置２としては、例えば、スマートフォン（図３参照）、携帯電話又はパソコンなど、リスト端末装置１と近距離通信可能なものを使用することができる。なお、本実施形態では、スマートフォンを使用する場合について説明する。
通信端末装置２は、図４に示すように、表示部２１と、入力部２２と、通信部２３と、加速度センサー２４と、報知部２５と、画像撮影部２８と、記憶部２６と、ＣＰＵ２７等とを備えて構成されている。
【００２３】
表示部２１は、ディスプレイ２１０から構成されており、ＣＰＵ２７から入力される表示信号に基づいて各種情報を表示するようになっている。ディスプレイ２１０は、例えば、有機エレクトロルミネッセンス素子を用いたカラー液晶ディスプレイ等である。なお、本実施の形態におけるディスプレイ２１０は、タッチパネル２２１と一体的に形成されており、ユーザーによるタッチ操作を受け付け可能となっている。
【００２４】
入力部２２は、キー群２２０や上述のタッチパネル２２１を備えており、押下されたキーの種類やタッチパネル２２１の位置に対応する信号をＣＰＵ２７に出力するようになっている。
【００２５】
通信部２３は、無線通信部２３０と、近距離通信部２３１と、を備えている。
無線通信部２３０は、メールサーバーとの間でデータ通信を行うものであり、例えば、無線通信を行うようになっている。なお、無線通信の方式としては、携帯通信やWi-Fi等の無線ＬＡＮなどを用いることができる。
【００２６】
近距離通信部２３１は、Bluetooth（登録商標）等の無線通信方式のモジュールで構成されている。近距離通信部２３１は、通信可能エリア内（例えば、半径２ｍ以内）にリスト端末装置１がある場合に、リスト端末装置１との間で無線通信を行う。
【００２７】
加速度センサー２４は、通信端末装置２に加わる加速度を３軸方向の成分に分解して測定するセンサーである。加速度センサー２４は、通信端末装置２の動きを検知し、ユーザーにより通信端末装置２がカバンやポケット等から取り出されたか否かの検出を行う。
【００２８】
報知部２５は、スピーカー、ＬＥＤ及びバイブレータ等を備え、メールサーバーからの受信メール着信時に着信音（例えば、メロディー音、メッセージ音声）、ランプの点灯及び振動等により、ユーザーに対して着信の通知を行う。
【００２９】
画像撮影部２８は、レンズ及び撮像素子などによって構成されたカメラであり、ＣＰＵ２７の指示によりレンズから入光して撮像素子上に結像する画像を画像信号としてＣＰＵ２７の記憶部２６に記憶するようになっている。例えば、ユーザーにより撮影された画像を記憶部２６に記憶するようになっている。
また、画像撮影部２８は、外光を検知することによって周囲環境の明るさ変化を検知し、通信端末装置２がカバンやポケット等から取り出されたか否かの検出を行う。具体的には、周囲環境の明るさが「暗」から「明」に変化した場合には、通信端末装置２がカバンやポケット等から取り出されたことを検知し、逆に、「明」から「暗」に変化した場合には、通信端末装置２がカバンやポケット等に収納されたことを検知する。
【００３０】
記憶部２６は、通信端末装置２の各種機能を実現するためのプログラムやデータを記憶するとともに、ＣＰＵ２７の作業領域として機能するメモリである。本実施の形態においては、記憶部２６は、メール表示処理プログラム２６０、受信メールデータ２６１等を記憶している。
【００３１】
メール表示処理プログラム２６０は、後述するように、基地局との無線通信によりメールサーバーからメールを受信すると、メールの受信通知、メール番号、メール送信者及びメール本文をリスト端末装置１に無線通信により送信し、リスト端末装置１から当該リスト端末装置１での表示済みメールのメール番号、メール送信者及びメール本文の表示済み箇所を受信して、メール本文中における表示済み箇所を未表示箇所と識別して、通信端末装置２のディスプレイ２１０に表示する処理をＣＰＵ２７に実行させるためのプログラムである。
【００３２】
受信メールデータ２６１は、メールサーバーから受信したメールのメール送信者、件名、メールの本文、受信日及び受信時刻等をメール番号に対応付けて構成されている。また、受信メールデータ２６１に記憶する受信メールのメール本文は、リスト端末装置１のディスプレイ１１０で既に表示した表示済み箇所を、未表示箇所と識別して記憶している。
【００３３】
ＣＰＵ２７は、通信端末装置２の各部を中央制御する。具体的には、ＣＰＵ２７は、記憶部２６に記憶されているシステムプログラム及び各種アプリケーションプログラムの中から指定されたプログラムを展開し、展開されたプログラムとの協働で、各種処理を実行する。
【００３４】
［動作］
次に、リスト端末装置１によるメール表示処理について、図５及び図６を参照しながら説明する。
図５は、リスト端末装置のメール表示処理を説明するためのフローチャート、図６は、リスト端末装置のユーザー動作状態対応メール表示処理を説明するためのフローチャートである。
通信端末装置２がメールサーバーからメールを受信し、当該メールの受信通知、メール番号、メール送信者及びメール本文をリスト端末装置１に送信すると、リスト端末装置１ではＣＰＵ１７は、メールの受信通知、メール番号、メール送信者及びメール本文を受信する（ステップＳ１）。ＣＰＵ１７は、受信したメールのメール送信者及びメール本文をメール番号に対応づけて記憶部１６の受信メールデータ１６１に記憶する。
【００３５】
次に、ＣＰＵ１７は、ユーザー動作状態対応メール表示処理を行う（ステップＳ２）。
具体的には、図６に示すように、このユーザー動作状態対応メール表示処理において、まずＣＰＵ１７は、腕振りの動作状態（２）（例えば、ジョギング等の動作状態）が検知されたか否かを判定する（ステップＴ１）。具体的には、加速度センサー１４によって検知されたリスト端末装置１の動きが、ユーザーが腕振りをしている状態のリスト端末装置１の動きであるか否かを判定する。
【００３６】
ステップＴ１において、動作状態（２）が検知された場合には（ステップＴ１；Ｙｅｓ）、メッセージ音声等によりメール通知を報知させ（ステップＴ２）、ステップＴ４に移行し、動作状態（２）が検知されない場合には（ステップＴ１；Ｎｏ）、着信音（メロディー等）や振動等によりメール通知を報知させ（ステップＴ３）、ステップＴ４に移行する。
【００３７】
ステップＴ４において、ユーザーが静止しつつ、腕をかざして、ディスプレイ１１０を見る動作状態（１）が検知されたか否かを判定する。具体的には、加速度センサー１４によって検知されたリスト端末装置１の傾斜角度が、ユーザーが静止しつつ、腕をかざしてディスプレイ１１０を見るリスト端末装置１の傾斜角度であるか否かを判定する。
【００３８】
ステップＴ４において、動作状態（１）が検知された場合には（ステップＴ４；Ｙｅｓ）、受信メールデータ１６１から受信メールを読み出し、ディスプレイ１１０の上段に当該受信メールのメール送信者を表示させ、下段に通常の時計画像を表示させ（ステップＴ５）、ユーザーによりディスプレイ１１０のタッチ操作が行われたか否かを判定する（ステップＴ６）。
【００３９】
ステップＴ６において、タッチ操作が行われた場合には（ステップＴ６；Ｙｅｓ）、後述のステップＴ８に移行し、タッチ操作が行われない場合には（ステップＴ６；Ｎｏ）、動作状態（１）が所定時間（例えば、３秒等）継続して検知されたか否かを判定する（ステップＴ７）。
【００４０】
ステップＴ７において、動作状態（１）が所定時間継続して検知されない場合には（ステップＴ７；Ｎｏ）、ユーザーの腕を下げる動作状態（４）が検知されたか否かを判定する（ステップＴ１４）。具体的には、加速度センサー１４によって検知されたリスト端末装置１の動きが、ユーザーが腕を下げる状態のリスト端末装置１の動きであるか否かを判定する。
【００４１】
ステップＴ１４において、動作状態（４）が検知されない場合には（ステップＴ１４；Ｎｏ）、他の処理へ移行し、動作状態（４）が検知された場合には（ステップＴ１４；Ｙｅｓ）、ディスプレイ１１０の表示をＯＦＦして（ステップＴ１６）、ユーザー動作状態対応メール表示処理を終了する。
【００４２】
ステップＴ７において、動作状態（１）が所定時間継続して検知された場合には（ステップＴ７；Ｙｅｓ）、ディスプレイ１１０の上段にメール本文を横スクロール可能に表示させ、下段に通常の時計画像を表示させ（ステップＴ８）、ステップＴ９に移行する。
【００４３】
ステップＴ９において、ユーザーの腕を下げる動作状態（４）が検知されたか否かを判定し、動作状態（４）が検知されない場合には（ステップＴ９；Ｎｏ）、ステップＴ８に移行し、動作状態（４）が検知されるまで、ディスプレイ１１０の上段にメール本文を横スクロール可能に表示させ、下段に通常の時計画像を表示させる。
ステップＴ９において、動作状態（４）が検知された場合には（ステップＴ９；Ｙｅｓ）、ディスプレイ１１０の表示をＯＦＦ（停止）して（ステップＴ１６）、ユーザー動作状態対応メール表示処理を終了する。
【００４４】
ステップＴ４において、動作状態（１）が検知されない場合には（ステップＴ４；Ｎｏ）、ユーザーが移動しつつ、腕をかざしてディスプレイ１１０を見る動作状態（３）が検知されたか否かを判定する（ステップＴ１０）。具体的には、加速度センサー１４によって検知されたリスト端末装置１の傾斜角度が、ユーザーが移動しつつ、腕をかざしてディスプレイ１１０を見るリスト端末装置１の傾斜角度であるか否かを判定する。
【００４５】
ステップＴ１０において、動作状態（３）が検知されない場合には（ステップＴ１０；Ｎｏ）、ユーザー動作状態対応メール表示処理を終了する。
動作状態（３）が検知された場合には（ステップＴ１０；Ｙｅｓ）、ディスプレイ１１０の画面全体にメール送信者を拡大表示させ（ステップＴ１１）、動作状態（３）が所定時間（例えば、３秒等）継続して検知されたか否かを判定する（ステップＴ１２）。
【００４６】
ステップＴ１２において、動作状態（３）が所定時間継続して検知されない場合には（ステップＴ１２；Ｎｏ）、上述のステップＴ１４に移行し、動作状態（３）が所定時間継続して検知された場合には（ステップＴ１２；Ｙｅｓ）、ディスプレイ１１０の画面全体にメール本文を拡大表示させ、当該メール本文の表示内容を音声出力させる（ステップＴ１３）。ここで、画面全体にメール本文が全て表示できない場合には、表示できる単位で表示し、上下スクロールの切替表示が可能となるように表示させる。
【００４７】
次に、ＣＰＵ１７は、動作状態（４）が検知されたか否かを判定し（ステップＴ１５）、動作状態（４）が検知されない場合には（ステップＴ１５；Ｎｏ）、ステップＴ１３に移行し、動作状態（４）が検知されるまで、ディスプレイ１１０の画面全体にメール本文を拡大表示及び表示内容を音声出力させる。
ステップＴ１５において、動作状態（４）が検知された場合には（ステップＴ１５；Ｙｅｓ）、ディスプレイ１１０の表示をＯＦＦして（ステップＴ１６）、ユーザー動作状態対応メール表示処理を終了する。
【００４８】
上述のようにユーザー動作状態対応メール表示処理が終了した後、ＣＰＵ１７は、図５に示すように、通信端末装置２に、リスト端末装置１のディスプレイ１１０で表示した表示済みメールの表示済み箇所を通知するか否かを判定する（ステップＳ３）。
【００４９】
ステップＳ３において、表示済み箇所を通知しない場合には（ステップＳ３；Ｎｏ）、ステップＳ５に移行し、表示済み箇所を通知する場合には（ステップＳ３；Ｙｅｓ）、表示済みメールのメール番号、メール送信者、表示済み箇所を通信端末装置２に送信し（ステップＳ４）、ステップＳ５に移行する。
【００５０】
次に、ＣＰＵ１７は、ユーザーが静止しつつ、腕をかざして、ディスプレイ１１０を見る動作状態（１）が検知されたか否かを判定し（ステップＳ５）、動作状態（１）が検知されない場合には（ステップＳ５；Ｎｏ）、メール表示処理を終了する。
動作状態（１）が検知された場合には（ステップＳ５；Ｙｅｓ）、ディスプレイ１１０の上段に、前回表示した表示済み箇所の続きからメール本文を横スクロール可能に表示させ、下段に通常の時計画像を表示させ（ステップＳ６）、ユーザーの腕を下げる動作状態（４）が検知されたか否かを判定する（ステップＳ７）。
【００５１】
ステップＳ７において、動作状態（４）が検知されない場合には（ステップＳ７；Ｎｏ）、上述のステップＳ６に移行し、動作状態（４）が検知された場合には（ステップＳ７；Ｙｅｓ）、ディスプレイ１１０の表示をＯＦＦして（ステップＳ８）、上述のステップＳ３に移行する。
【００５２】
次に、通信端末装置２によるメール表示処理について、図７を参照しながら説明する。
図７は、通信端末装置のメール表示処理を説明するためのフローチャートである。
通信端末装置２ではＣＰＵ２７が、メールサーバーからメールを受信し（ステップＵ１）、受信したメールのメール送信者及びメール本文をメール番号に対応付けて記憶部２６の受信メールデータ２６１に記憶する。そして、当該メールの受信通知、メール番号、メール送信者及びメール本文をリスト端末装置１に送信する（ステップＵ２）。
【００５３】
次に、ＣＰＵ２７は、リスト端末装置１から前回表示したメールのメール番号、メール送信者、及びメール本文のうち表示済み箇所を受信したか否かを判定し（ステップＵ３）、受信しない場合には（ステップＵ３；Ｎｏ）、メール表示処理を終了する。
【００５４】
ステップＵ３において、前回表示したメールのメール番号、メール送信者、及びメール本文のうちの表示済み箇所を受信した場合には（ステップＵ３；Ｙｅｓ）、ユーザーによって通信端末装置２がポケットやカバン等から取り出されたことを検知したか否かを判定する（ステップＵ４）。ここで、通信端末装置２の取り出しの検知は、加速度センサー２４や、画像撮影部２８（通信端末装置２に内蔵のカメラ等）によって行う。
【００５５】
ステップＵ４において、通信端末装置２の取り出しが検知されない場合には（ステップＵ４；Ｎｏ）、メール表示処理を終了し、通信端末装置２の取り出しが検知された場合には（ステップＵ４；Ｙｅｓ）、メールソフトを起動して、メール本文を、表示済み箇所と未表示箇所とを識別してディスプレイ２１０に表示させ（ステップＵ５）、ステップＵ６に移行する。
【００５６】
ステップＵ６において、ユーザー操作によりメールの閲覧終了が行われたか否かを判定
する。メールの閲覧終了が行われたか否かの判定は、通信端末装置２の電源ＯＦＦやメールソフト以外の他のソフトの起動により判定する。
メールの閲覧終了が行われた場合には（ステップＵ６；Ｙｅｓ）、メール表示処理を終了し、メールの閲覧終了が行われない場合には（ステップＵ６；Ｎｏ）、ステップＵ５に移行し、閲覧終了が行われるまでディスプレイ２１０に、メール本文を表示済み箇所と未表示箇所とを識別してメール本文を表示する。
【００５７】
次に、図面を参照しつつ、上述のリスト端末装置１及び通信端末装置２によるメール表示処理を具体的に説明する。
［動作例１］
まず、通信端末装置２がメールサーバーからメールを受信すると（ステップＵ１、図８(a)参照）、当該メールの受信通知、メール番号、メール送信者及びメール本文をリスト端末装置１に送信し（ステップＵ２、図８(b)参照）、リスト端末装置１は、当該メールの受信通知、メール番号、メール送信者及びメール本文を受信する（ステップＳ１）。
【００５８】
そして、ユーザーがジョギング等の腕振りを行うと（動作状態（２）の検知）（ステップＴ１；Ｙｅｓ）、メッセージ音声（例えば、「佐藤さんからメールです」といったメッセージ音声）等によりメール通知を報知（ステップＴ２、図８(c)参照）させる。
【００５９】
その後、ユーザーがジョギング中に腕をかざしてリスト端末装置１を見ると（動作状態（３）の検知）（ステップＴ１０；Ｙｅｓ）、ディスプレイ１１０の画面全体にメール送信者（例えば、「佐藤さん」）を拡大表示させる（ステップＴ１１、図８(d)参照）。
さらに、ジョギングしながらユーザーが腕をかざしてリスト端末装置１を所定時間見ると（動作状態（３）が所定時間継続）（ステップＴ１２；Ｙｅｓ）、ディスプレイ１１０の画面全体にメール本文を拡大表示させ、表示内容を音声出力させる（ステップＴ１３、図８(e)参照）。例えば、画面全体に「おはようございます」と拡大表示させ、「おはようございます」と音声出力させる。
なお、画面全体にメール本文が全て表示できない場合には、図８(f)に示すように、表示できる単位で表示させ、上下スクロールの切替表示が可能となるように表示させる。例えば、「おはようございます」や、その続きの「明日の会議の内容について」といった、表示できる単位で表示させ、これらを上下スクロール可能に表示させる。
【００６０】
その後、ユーザーが腕を下げると（動作状態（４）の検知）（ステップＴ１５；Ｙｅｓ）、ディスプレイ１１０の表示をＯＦＦさせる（ステップＴ１６、図８(g)参照）。
その後、ユーザーが通信端末装置２を取り出すと（ステップＵ４；Ｙｅｓ）、メールソフトを起動して、ディスプレイ２１０に、リスト端末装置１で前回表示したメールのメール本文を、表示済み箇所と、未表示箇所とを識別して表示させる（ステップＵ５、図８(h)参照）。例えば、「おはようございます。明日の会議の内容について確認させてください。」といった表示済み箇所と、「明日の会議の内容はＡＢＣです。」といった未表示箇所とを、文字の大きさを変えたり、色を変えたりして識別表示させる。
【００６１】
その後、ユーザーが通信端末装置２の閲覧終了を終えた後、静止しつつ、腕をかざしてリスト端末装置１を再度見ると（動作状態（１）の検知）（ステップＳ５；Ｙｅｓ）、ディスプレイ１１０の上段に、前回表示したメールの表示済み箇所の続きからメール本文を横スクロール可能に表示させ、下段に通常の時計画像を表示させる（ステップＳ６、図８(i)参照）。例えば、前回表示した「明日の会議の内容は「ＡＢＣ」です。」の続きの内容の「時間は１３時」をディスプレイ１１０の上段にスクロール表示させる。
【００６２】
［動作例２］
まず、通信端末装置２がメールサーバーからメールを受信すると（ステップＵ１、図９(a)参照）、当該メールの受信通知、メール番号、メール送信者及びメール本文をリスト端末装置１に送信し（ステップＵ２、図９(b)参照）、リスト端末装置１は、当該メールの受信通知、メール番号、メール送信者及びメール本文を受信する（ステップＳ１）。
【００６３】
そして、ユーザーがジョギング等の腕振りを行わないと（動作状態（２）の非検知）（ステップＴ１；Ｎｏ）、メロディー等の着信音や振動等でメール通知を報知し（ステップＴ３）、ユーザーが静止しつつ、腕をかざしてリスト端末装置１を見ると（動作状態（１）の検知）（ステップＴ４；Ｙｅｓ）、ディスプレイ１１０の上段にメール送信者を表示させ、下段に通常の時計画像を表示させる（ステップＴ５、図９(c)参照）。
【００６４】
その後、ユーザーがディスプレイ１１０のタッチ操作を行うと（ステップＴ６；Ｙｅｓ、図９(d)参照）、ディスプレイ１１０の上段にメール本文（例えば、「おはようございます」）を横スクロール可能に表示させ、下段に通常の時計画像を表示させる（ステップＴ８、図９(e)参照）。
【００６５】
その後、ユーザーが腕を下げると（動作状態（４）の検知）（ステップＴ９；Ｙｅｓ）、ディスプレイ１１０の表示をＯＦＦさせる（ステップＴ１６、図９(f)参照）。
その後、ユーザーが通信端末装置２を取り出すと（ステップＵ４；Ｙｅｓ）、メールソフトを起動して、ディスプレイ２１０に、リスト端末装置１で前回表示したメールのメール本文を、表示済み箇所と、未表示箇所とを識別して表示させる（ステップＵ５、図９(g)参照）。
【００６６】
その後、ユーザーが通信端末装置２の閲覧終了を終えた後、静止しつつ、腕をかざしてリスト端末装置１を再度見ると（動作状態（１）の検知）（ステップＳ５；Ｙｅｓ）、ディスプレイ１１０の上段に、前回表示したメールの表示済み箇所の続きからメール本文を横スクロール可能に表示させ、下段に通常の時計画像を表示させる（ステップＳ６、図９(h)参照）。
【００６７】
［動作例３］
まず、通信端末装置２がメールサーバーからメールを受信すると（ステップＵ１、図１０(a)参照）、当該メールの受信通知、メール番号、メール送信者及びメール本文をリスト端末装置１に送信し（ステップＵ２、図１０(b)参照）、リスト端末装置１は、当該メールの受信通知、メール番号、メール送信者及びメール本文を受信する（ステップＳ１）。
【００６８】
そして、ユーザーがジョギング等の腕振りを行わないと（動作状態（２）の非検知）（（ステップＴ１；Ｎｏ）、メロディー等の着信音や振動等でメール通知を報知し（ステップＴ３）、ユーザーが静止しつつ、腕をかざしてリスト端末装置１を見ると（動作状態（１）の検知）（ステップＴ４；Ｙｅｓ）、ディスプレイ１１０の上段にメール送信者を表示させ、下段に通常の時計画像表示させる（ステップＴ５、図１０(c)参照）。
【００６９】
そして、ユーザーがそのまま静止した状態で、腕をかざしてリスト端末装置１を所定時間見続けると（動作状態（１）の所定時間継続）（ステップＴ７；Ｙｅｓ）、ディスプレイ１１０の上段にメール本文を横スクロール可能に表示させ、下段に通常の時計画像を表示させる（ステップＴ８、図１０(d)参照）。
【００７０】
その後、ユーザーが腕を下げると（動作状態（４）の検知）（ステップＴ９；Ｙｅｓ）、ディスプレイ１１０の表示をＯＦＦさせる（ステップＴ１６、図１０(e)参照）。
その後、ユーザーが通信端末装置２を取り出すと（ステップＵ４；Ｙｅｓ）、メールソフトを起動して、ディスプレイ２１０に、リスト端末装置１で前回表示したメールのメール本文を、表示済み箇所と、未表示箇所とを識別して表示させる（ステップＵ５、図１０(f)参照）。
【００７１】
そして、ユーザーが通信端末装置２の閲覧終了を終えた後、静止しつつ、腕をかざしてリスト端末装置１を再度見ると（動作状態（１）の検知）（ステップＳ５；Ｙｅｓ）、ディスプレイの上段に、前回表示したメールの表示済み箇所の続きからメール本文を横スクロール可能に表示させ、下段に通常の時計画像を表示させる（ステップＳ６、図１０(g)参照）。
【００７２】
以上、本発明の実施の形態によれば、図５のステップＳ１〜Ｓ８及び図６のステップＴ１〜Ｔ１６に示すように、リスト端末装置がメール着信通知を受信したときに、ユーザーの動作状態に応じた表示形態で、受信したメールをディスプレイに表示するので、ユーザーが操作指示することなく、ユーザーの動作状態に応じた表示形態で適切にメールを表示することができる。例えば、ユーザーがジョギングしている場合には、そのジョギング状態を検知して、ユーザーが手振り等で操作指示することなく、メールがジョギングに適切な形態でディスプレイに自動的に表示されるので、ユーザーは容易にメールを確認することができる。
【００７３】
また、図６のステップＴ４〜Ｔ８、図８(d)〜(f)、図６のステップＴ１０〜Ｔ１３及び図９(c)〜(e)に示すように、ユーザーがリスト端末装置を見る動作状態を所定時間検知したときに、受信したメールの本文をディスプレイにスクロール表示するので、ユーザーは、受信したメールの本文の全てをスクロールすることによって容易に確認することができる。
【００７４】
また、図６のステップＴ１０、Ｔ１１及び図８(c)〜(e)に示すように、ユーザーが移動しつつ、リスト端末装置を見る動作状態を検知したときに、受信したメールの本文をディスプレイに拡大表示するので、ユーザーは、移動しながらでもメールの本文を容易に確認することができる。
【００７５】
また、図６のステップＴ１０〜Ｔ１３及び図８(c)〜(e)に示すように、ユーザーが移動しつつ、リスト端末装置を見る動作状態を検知したときに、受信したメールの本文を音声出力するので、ユーザーは、移動しながらディスプレイを見ることなく、音声によってメールの本文を容易に確認することができる。
【００７６】
また、図６のステップＴ９、Ｔ１４〜Ｔ１６、図８(d)〜(g)、図９(c)〜(f)及び図１０(c)〜(e)に示すように、リスト端末装置を見る動作状態を検知した後で、ユーザーによる腕を下げる動作状態を検知したときに、ディスプレイへのメール本文の表示を停止するので、ユーザーがディスプレイを見ていないと判断され、無駄にディスプレイにメールが表示されずに、省エネルギー化を図ることができる。
【００７７】
また、図６のステップＴ９、Ｔ１４〜Ｔ１６、図５のステップＳ３及びＳ４に示すように、腕を下げる動作状態を検知した後に、ディスプレイで前回表示したメールの表示済み箇所を、未表示箇所と識別して通信端末装置に送信するので、リスト端末装置で途中まで見たメールを、その後、通信端末装置で見る場合に、最初からメールを見返す必要がなく、途中まで見たメールの続きからすぐに見ることができる。
【００７８】
また、図６のステップＴ９、Ｔ１４〜Ｔ１６、図５のステップＳ５、Ｓ６、図８(g)〜(i)、図９(f)〜(h)及び図１０(e)〜(g)に示すように、腕を下げる動作状態を検知した後で、ユーザーによるリスト端末装置を再び見る動作状態を検知したときに、前回表示したメールの表示済み箇所以外である未表示箇所をリスト端末装置のディスプレイに表示するので、リスト端末装置で途中まで見たメールを、再度、リスト端末装置で見る場合に、最初から見返す必要がなく、途中まで見たメールの続きからすぐに見ることができる。
【００７９】
なお、上記の実施の形態におけるリスト端末装置及び通信端末装置の各構成要素の細部構成及び細部動作に関しては、本発明の趣旨を逸脱しない範囲で適宜変更可能であることは勿論である。
【００８０】
以上、本発明の実施形態を説明したが、本発明の範囲は、上述の実施の形態に限定するものではなく、特許請求の範囲に記載された発明の範囲とその均等の範囲を含む。
【００８１】
以下に、この出願の願書に最初に添付した特許請求の範囲に記載した発明を付記する。付記に記載した請求項の項番は、この出願の願書に最初に添付した特許請求の範囲の通りである。
〔付記〕
＜請求項１＞
ユーザーに装着される端末装置であって、
ユーザーの動作状態を検知する動作状態検知手段と、
受信した情報を表示する表示手段と、
前記動作状態検知手段により検知されたユーザーの動作状態に応じた表示形態で、前記受信した情報を前記表示手段に表示する制御を行う動作状態対応情報表示制御手段と、
を備えることを特徴とする端末装置。
＜請求項２＞
通信端末装置からメール着信通知を受信する着信受信手段を備え、
前記動作状態対応情報表示制御手段は、
前記着信受信手段によりメール着信通知を受信したときに、前記動作状態検知手段により検知されたユーザーの動作状態に応じた表示形態で、前記受信したメールの情報を前記表示手段に表示する制御を行う動作状態対応メール表示制御手段を、
備えることを特徴とする請求項１に記載の端末装置。
＜請求項３＞
前記動作状態対応メール表示制御手段は、
ユーザーによる前記端末装置を見る動作状態を所定時間検知したときに、前記受信したメールの本文を前記表示手段にスクロール表示する制御を行うことを特徴とする請求項２に記載の端末装置。
＜請求項４＞
前記動作状態対応メール表示制御手段は、
ユーザーが移動しつつ、前記端末装置を見る動作状態を検知したときに、前記受信したメールの本文を前記表示手段に拡大表示する制御を行うことを特徴とする請求項２又は３に記載の端末装置。
＜請求項５＞
ユーザーが移動しつつ、前記端末装置を見る動作状態を検知したときに、前記受信したメールの本文を音声出力する音声出力手段を備えることを特徴とする請求項２〜４のいずれか一項に記載の端末装置。
＜請求項６＞
前記端末装置は、ユーザーの手首に装着されるリスト端末装置であり、
前記動作状態対応メール表示制御手段は、
前記リスト端末装置を見る動作状態を検知した後で、ユーザーによる腕を下げる動作状態を検知したときに、前記受信したメールの本文の前記表示手段への表示を停止する制御を行うことを特徴とする請求項３〜５のいずれか一項に記載の端末装置。
＜請求項７＞
前記腕を下げる動作状態を検知した後で、前記表示手段で前回表示したメールの表示済み箇所を、未表示箇所と識別して前記通信端末装置に送信する表示済み箇所送信手段を備えることを特徴とする請求項６に記載の端末装置。
＜請求項８＞
前記動作状態対応メール表示制御手段は、
前記腕を下げる動作状態を検知した後で、ユーザーによる前記端末装置を再び見る動作状態を検知したときに、前記表示手段で前回表示したメールの表示済み箇所以外の未表示箇所を前記表示手段に表示する制御を行うことを特徴とする請求項６又は７に記載の端末装置。
＜請求項９＞
コンピュータに、
ユーザーの動作状態を検知する動作状態検知機能と、
受信した情報を表示する表示機能と、
前記動作状態検知機能により検知されたユーザーの動作状態に応じた表示形態で、前記受信した情報を前記表示機能に表示する制御を行う動作状態対応情報表示制御機能と、
を実現させることを特徴とするプログラム。
【符号の説明】
【００８２】
１  リスト端末装置
１１  表示部
１２  入力部
１３  近距離通信部
１４  加速度センサー
１５  報知部
１６  記憶部
１７  ＣＰＵ
１１０  ディスプレイ
２  通信端末装置
２１  表示部
２２  入力部
２４  加速度センサー
２６  記憶部
２７  ＣＰＵ
２８  画像撮影部
２１０  ディスプレイ
２３０  無線通信部
２３１  近距離通信部
【図１】
2014176055.tif 000003
【図２】
2014176055.tif 000004
【図３】
2014176055.tif 000005
【図４】
2014176055.tif 000006
【図５】
2014176055.tif 000007
【図６】
2014176055.tif 000008
【図７】
2014176055.tif 000009
【図８】
2014176055.tif 000010
【図９】
2014176055.tif 000011
【図１０】
2014176055.tif 000012